(57)【要約】【課題】既存の印刷物等の表の寸法をコンピュータに入力する入力値として直接、測定することができ、コンピュータの操作に不慣れなユーザであっても、元になるフォーマットと同一の表を短時間で効率的に作成できる事務効率性、生産性、利便性に優れるコンピュータ用表作成定規を提供することを目的とする。【解決手段】コンピュータによる表作成時に入力する列幅と行高さを測定するコンピュータ用表作成定規であって、列幅の基準となる基準列ピッチを単位とする列幅測定用目盛と、行高さの基準となる基準行ピッチを単位とする行高さ測定用目盛と、を備えている。【選択図】図１
2006038653.tif 000002
【特許請求の範囲】
【請求項１】
コンピュータによる表作成時に入力する列幅と行高さを測定するコンピュータ用表作成定規であって、前記列幅の基準となる基準列ピッチを単位とする列幅測定用目盛と、前記行高さの基準となる基準行ピッチを単位とする行高さ測定用目盛と、を備えたことを特徴とするコンピュータ用表作成定規。
【請求項２】
異なる前記基準列ピッチを単位とする複数の前記列幅測定用目盛及び異なる前記基準行ピッチを単位とする複数の前記行高さ測定用目盛がそれぞれ並設されたことを特徴とする請求項１に記載のコンピュータ用表作成定規。
【請求項３】
前記基準列ピッチ及び前記基準行ピッチの単位が、ピクセルであることを特徴とする請求項１に記載のコンピュータ用表作成定規。
【発明の詳細な説明】
【技術分野】
【０００１】
本発明は、コンピュータで表を作成する際に、その元となる既存の印刷物等の表の寸法をコンピュータに入力する入力値として直接、測定することができるンピュータ用表作成定規に関する。
【背景技術】
【０００２】
近年、ＯＡ化が進み、各種文書の作成にコンピュータが用いられるようになった。
しかしながら、従来より手書き用に用いられていた原稿用紙や表等のマス目や罫線に合わせて文書を作成し、印刷することは困難であった。
そこで、各種アプリケーションソフトを用いて、表自体を作成し、その中に文字を入力するということが広く行われている。
各種アプリケーションソフトを用いて、表を作成する際には、元になるフォーマットを参考に、目分量でその列の幅や行の高さを入力或いは設定し、印刷を行って比較、調整するという作業を繰返し行っていた。
尚、かかる先行技術は、文献、公知発明に係るものでないため、記載すべき先行技術文献情報は発見できなかった。
【発明の開示】
【発明が解決しようとする課題】
【０００３】
しかしながら上記従来の技術では、以下のような課題を有していた。
（１）元になるフォーマットと同じ表を作成するには、作成した表の印刷と寸法調整を繰返し行う必要があり、作成に時間を要するだけでなく、印刷を行った紙も無駄になり、省資源性に欠けるという課題を有していた。
（２）また、一般の定規等で列の幅や行の高さを測定しても、アプリケーションソフトで使用される基準ピッチがミリメートル単位やセンチメートル単位ではないため、換算が必要で作業性に欠けるという課題を有していた。特に、列幅と行高さの基準ピッチが異なる場合、作業が煩雑で生産性、効率性に欠けるという課題を有していた。
【０００４】
本発明は上記従来の課題を解決するもので、既存の印刷物等の表の寸法をコンピュータに入力する入力値として直接、測定することができ、コンピュータの操作に不慣れなユーザであっても、元になるフォーマットと同一の表を短時間で効率的に作成できる事務効率性、生産性、利便性に優れるコンピュータ用表作成定規を提供することを目的とする。
【課題を解決するための手段】
【０００５】
上記課題を解決するために本発明のコンピュータ用表作成定規は、以下の構成を有している。
本発明の請求項１に記載のコンピュータ用表作成定規は、コンピュータによる表作成時に入力する列幅と行高さを測定するコンピュータ用表作成定規であって、前記列幅の基準となる基準列ピッチを単位とする列幅測定用目盛と、前記行高さの基準となる基準行ピッチを単位とする行高さ測定用目盛と、を備えた構成を有している。
この構成により、以下のような作用を有する。
（１）列幅の基準となる基準列ピッチを単位とする列幅測定用目盛と、行高さの基準となる基準行ピッチを単位とする行高さ測定用目盛を有するので、既存の表の列幅及び行高さをコンピュータに入力する入力値として直接、かつ簡単にその場で測定することができる。
（２）列幅測定用目盛と行高さ測定用目盛を有するので、基準列ピッチと基準行ピッチが異なる場合でも、確実に表の列幅及び行高さを測定することができ、既存の表と同一の表を簡便に作成できる。
【０００６】
ここで、コンピュータ用表作成定規は、使用するアプリケーションに合わせて作製する。各アプリケーションによって、基準列ピッチ及び基準行ピッチが異なるからである。また、アプリケーションにおいて、基準列ピッチ及び基準行ピッチが変更可能な場合、異なる基準列ピッチ及び基準行ピッチ毎に複数のコンピュータ用表作成定規を作製しておき、アプリケーションでの設定に合わせて使用するコンピュータ用表作成定規を選択する。
【０００７】
請求項２に記載の発明は、請求項１に記載のコンピュータ用表作成定規であって、異なる前記基準列ピッチを単位とする複数の前記列幅測定用目盛及び異なる前記基準行ピッチを単位とする複数の前記行高さ測定用目盛がそれぞれ並設された構成を有している。
この構成により、請求項１の作用に加え、以下のような作用を有する。
（１）異なる基準列ピッチを単位とする複数の列幅測定用目盛及び異なる基準行ピッチを単位とする複数の行高さ測定用目盛がそれぞれ並設されていることにより、複数のアプリケーションやアプリケーション内での設定によって目盛を使い分けることができる。
（２）複数のアプリケーションに対応した列幅測定用目盛及び行高さ測定用目盛を有する場合、あるアプリケーションで作成した表を容易に別のアプリケーションで作成し直すことができ、機能性に優れる。
【０００８】
ここで、複数の列幅測定用目盛及び行高さ測定用目盛は、種々のアプリケーションやアプリケーション内での設定、単位等を組合せて一つの定規に並設する。ユーザは種々の組合せの中から、使用する頻度の高い組合せだけを選択することができる。また、組合せの異なる目盛を並設した定規を複数種類作製し、使い分けることもできる。
尚、複数種類の目盛りは１枚の定規の左右や表裏に形成することができる。
【０００９】
請求項３に記載の発明は、請求項１又は２に記載のコンピュータ用表作成定規であって、前記基準列ピッチ及び前記基準行ピッチの単位が、ピクセルである構成を有している。
この構成により、請求項１又は２の作用に加え、以下のような作用を有する。
（１）基準列ピッチ及び基準行ピッチの単位が、アプリケーションで多用されるピクセルであることにより、汎用性に優れる。
【発明の効果】
【００１０】
以上のように、本発明のコンピュータ用表作成定規によれば、以下のような有利な効果が得られる。
請求項１に記載の発明によれば、以下のような効果を有する。
（１）列幅の基準となる基準列ピッチを単位とする列幅測定用目盛と、行高さの基準となる基準行ピッチを単位とする行高さ測定用目盛を有するので、既存の表の列幅及び行高さをコンピュータに入力する入力値として直接、かつ簡単にその場で測定することができる実用性、利便性に優れたコンピュータ用表作成定規を提供することができる。
（２）列幅測定用目盛と行高さ測定用目盛を有するので、基準列ピッチと基準行ピッチが異なる場合でも、確実に表の列幅及び行高さを測定することができ、既存の表と同一の表を簡便に作成できる実用性、取扱い性に優れたコンピュータ用表作成定規を提供することができる。
【００１１】
請求項２に記載の発明によれば、請求項１の効果に加え、以下のような効果を有する。
（１）異なる基準列ピッチを単位とする複数の列幅測定用目盛及び異なる基準行ピッチを単位とする複数の行高さ測定用目盛がそれぞれ並設されていることにより、複数のアプリケーションやアプリケーション内での設定によって使い分けることができる汎用性、実用性に優れたコンピュータ用表作成定規を提供することができる。
（２）複数のアプリケーションに対応した列幅測定用目盛及び行高さ測定用目盛を有する場合、あるアプリケーションで作成した表を容易に別のアプリケーションで作成し直すことができる機能性、汎用性に優れたコンピュータ用表作成定規を提供することができる。
【００１２】
請求項３に記載の発明によれば、請求項１又は２の効果に加え、以下のような効果を有する。
（１）基準列ピッチ及び基準行ピッチの単位がアプリケーションで多用されるピクセルであることにより、複数のアプリケーションで兼用することができる汎用性に優れたコンピュータ用表作成定規を提供することができる。
【発明を実施するための最良の形態】
【００１３】
（実施の形態１）
以下、本発明の実施の形態１におけるコンピュータ用表作成定規について、以下図面を参照しながら説明する。
図１は本発明の実施の形態１におけるコンピュータ用表作成定規を示す平面図である。
図１中、１はアプリケーションとしてマイクロソフト社のエクセル（登録商標）を対象に作製した本発明の実施の形態１におけるコンピュータ用表作成定規、２はコンピュータ用表作成定規１の一方の側部に長手方向に形成された列幅測定用目盛、３はコンピュータ用表作成定規１の他方の側部に長手方向に形成された行高さ測定用目盛である。
列幅測定用目盛２はコンピュータに入力する列幅の基準となる基準列ピッチを単位として形成され、行高さ測定用目盛３はコンピュータに入力する行高さの基準となる基準行ピッチを単位として形成される。
エクセルの場合、列幅は設定された標準フォントで入力（表示）できる文字数に相当し、行高さは入力（表示）できる文字のポイント数に相当する。尚、行高さ測定用目盛３は代表的な行高さ（ポイント数）を複数段に分けて数値で示している。
【００１４】
本実施の形態では、コンピュータ用表作成定規１の両側にそれぞれ一種類の列幅測定用目盛２と行高さ測定用目盛３を形成したが、１枚のコンピュータ用表作成定規１に種々のアプリケーションやその設定、単位を組合せて作製してもよい。また、予め複数種類の組合せを用意することにより、ユーザはそれらの組合せの中から、使用する頻度の高い組合せだけを選択して使用することができる。複数種類の目盛りは１枚の定規の左右や表裏に形成することができる。
尚、1つのアプリケーションにおいて、基準列ピッチ及び基準行ピッチが変更可能な場合、異なる基準列ピッチ及び基準行ピッチ毎に複数のコンピュータ用表作成定規１を作製しておき、アプリケーションでの設定に合わせて使用するコンピュータ用表作成定規１を選択する。
エクセル以外のアプリケーションでは、例えば列幅の基準となる基準列ピッチ及び行高さの基準となる基準行ピッチとしてピクセル等が用いられる。基準列ピッチ及び基準行ピッチがピクセルの場合、目盛は等間隔であり、列幅測定用目盛２と行高さ測定用目盛３は等しく形成される。
【００１５】
以上のように形成された実施の形態１におけるコンピュータ用表作成定規の使用方法について説明する。
既存の印刷物等の表の列又は行にコンピュータ用表作成定規１の列幅測定用目盛２又は行高さ測定用目盛３を当て、表の列幅と列幅測定用目盛２の間隔又は表の行高さと行高さ測定用目盛３の間隔が一致する目盛の値を読み取る。行高さ測定用目盛３が数値で表示されているので、一目でその行高さを読み取ることができる。また、数値で表示されていない行高さも、隣接する複数の数値を足すことにより測定できる。
コンピュータで使用するアプリケーション（エクセル）の入力画面において、読み取った列幅及び行高さの測定値をそれぞれ入力する。
全ての列幅及び行高さの測定と測定値の入力を行うだけで既存の表と同一の表が作成される。
【００１６】
実施の形態１におけるコンピュータ用表作成定規は以上のように構成されているので以下の作用を有する。
（１）列幅の基準となる基準列ピッチを単位とする列幅測定用目盛２と、行高さの基準となる基準行ピッチを単位とする行高さ測定用目盛３を有するので、既存の表の列幅及び行高さをコンピュータに入力する入力値として直接、かつ簡単にその場で測定することができる。
（２）列幅測定用目盛２と行高さ測定用目盛３を有するので、基準列ピッチと基準行ピッチが異なる場合でも、確実に表の列幅及び行高さを測定することができ、既存の表と同一の表を簡便に作成できる。
（３）異なる基準列ピッチを単位とする複数の列幅測定用目盛２及び異なる基準行ピッチを単位とする複数の行高さ測定用目盛３がそれぞれ並設されている場合、複数のアプリケーションやアプリケーション内での設定によって目盛を使い分けることができる。
（４）複数のアプリケーションに対応した列幅測定用目盛２及び行高さ測定用目盛３を有する場合、あるアプリケーションで作成した表を容易に別のアプリケーションで作成し直すことができ、機能性に優れる。
（５）種々のアプリケーションや設定、単位を組合せて列幅測定用目盛２及び行高さ測定用目盛３を形成した複数種類のコンピュータ用表作成定規１を用意することにより、ユーザはそれらの組合せの中から、使用する頻度の高い組合せだけを選択して使用することができる。
（６）列幅測定用目盛２及び行高さ測定用目盛３の基準列ピッチ及び基準行ピッチの単位がアプリケーションで多用されるピクセルである場合、複数のアプリケーションで兼用することができ、汎用性に優れる。
【産業上の利用可能性】
【００１７】
既存の印刷物等の表の寸法をコンピュータに入力する入力値として直接、測定することができ、元になるフォーマットと同一の表を短時間で効率的に作成できる事務効率性、生産性、利便性に優れたコンピュータ用表作成定規を提供することができ、コンピュータの操作に不慣れなユーザが快適に作業を行うことができる。
【図面の簡単な説明】
【００１８】
【図１】本発明の実施の形態１におけるコンピュータ用表作成定規を示す平面図
【符号の説明】
【００１９】
１    本発明の実施の形態１におけるコンピュータ用表作成定規
２    列幅測定用目盛
３    行高さ測定用目盛
【図１】
2006038653.tif 000003